(57)【要約】      （修正有）【課題】テーブルのベース部をより低く構成することが可能なキャスター構造を提供する。【解決手段】キャスターが取り付けられて移動可能なベース部に支柱を介してテーブル本体部が支持されたテーブルに対し、ベース部の先端部２５のキャスターに適用されたキャスター構造であって、ベース部３に設けられた第１レース５１と、第１レース５１に対して相対回転自在な第２レース５３と、第１及び第２レース５１，５３間に介設された転動体５５と、第２レース５３に支持されて第２レース５３の回転軸８１の軸心に対して交差する回転軸９５の軸心周りに回転自在なローラー５７とを備えている。【選択図】図８
2015009640.tif 000002
【特許請求の範囲】
【請求項１】
キャスターが取り付けられて移動可能なベース部に支柱を介してテーブル本体部が支持されたテーブルのキャスター構造であって、
前記ベース部側に設けられた第１レースと、
該第１レースに対して相対回転自在な第２レースと、
前記第１及び第２レース間に介設された転動体と、
前記第２レースに支持されて前記第２レースの回転軸心に対して交差する回転軸心周りに回転自在なローラーと、
を備えたことを特徴とするキャスター構造。
【請求項２】
請求項１記載のキャスター構造であって、
前記第１レースから突設され前記第２レースを挿通して軸心周りに回転自在に支持する第１回転軸と、
前記第２レースに支持されて前記第１回転軸に対する交差方向に沿った第２回転軸とを備え、
前記ローラーは、前記第２回転軸に軸心周り回転自在に支持され相互間に前記第１回転軸を避ける隙間を空けて配置された一対のローラー体からなる、
ことを特徴とするキャスター構造。
【請求項３】
請求項２記載のキャスター構造であって、
前記第１回転軸は、先端に係止突起を備え、
前記第２レースは、前記第１回転軸を挿通させて縁部が前記係止突起に係合する係止孔を備え、
前記一対のローラー体は、前記隙間によって前記第１回転軸の係止突起を避ける、
ことを特徴とするキャスター構造。
【請求項４】
請求項２又は３記載のキャスター構造であって、
前記一対のローラー体は、前記第２回転軸に相対回転自在に支持された、
ことを特徴とするキャスター構造。
【請求項５】
請求項１〜４の何れか一項に記載のキャスター構造であって、
前記第１レースは、前記ベース部の底面側に開口する凹状に形成され、
前記第２レースは、前記第１レース内に収容される、
ことを特徴とするキャスター構造。
【請求項６】
請求項１〜５の何れか一項に記載のキャスター構造であって、
前記第１レースは、前記ベース部とは別体に形成され、
前記ベース部は、前記第１レースを収容固定する収容凹部を備えた、
ことを特徴とするキャスター構造。
【請求項７】
請求項１〜６の何れか一項に記載のキャスター構造を適用したテーブルであって、
長手方向の両側にキャスターが取り付けられたベース部と、
前記ベース部の長手方向一側から立設された支柱と、
前記支柱に長手方向一側が支持されて前記ベース部に対向配置されたテーブル本体部とを備え、
少なくとも前記ベース部の長手方向他側に取り付けられたキャスターに前記キャスター構造を適用した、
ことを特徴とするテーブル。
【発明の詳細な説明】
【技術分野】
【０００１】
本発明は、ベッドの利用者等が用いるテーブルのキャスター構造及びこのキャスター構造を用いたテーブルに関する。
【背景技術】
【０００２】
従来のこの種のテーブルとしては、例えば特許文献１のように、キャスターが取り付けられたベース部に支柱を立設し、支柱の先端にテーブル本体部を支持したテーブルがある。
【０００３】
このテーブルでは、テーブル本体部がベース部に対向配置されており、ベース部をスライドさせてベッド下のスペースに入れ込むと、テーブル本体部がベッド上に位置するようになっている。
【０００４】
従って、ベッド脇への突出を抑制しながら容易にテーブルを設置することが可能となる。
【０００５】
しかし、かかるテーブルは、ベース部にキャスターを取り付ける関係上、ベース部を低く構成することに限界がある。近年では、介護やリハビリテーション等の分野において低床ベッドが普及してきており、そのような低床ベッドでは、ベッド下のスペースに十分な高さがなく、テーブルのベース部を入れ込むことが困難となっている。
【先行技術文献】
【特許文献】
【０００６】
【特許文献１】特開２００３−３２５２３９号公報
【発明の開示】
【発明が解決しようとする課題】
【０００７】
解決しようとする問題点は、テーブルのベース部を低く構成することに限界があった点である。
【課題を解決するための手段】
【０００８】
本発明は、テーブルのベース部をより低く構成するために、キャスターが取り付けられて移動可能なベース部に支柱を介してテーブル本体部が支持されたテーブルのキャスター構造であって、前記ベース部側に設けられた第１レースと、該第１レースに対して相対回転自在な第２レースと、前記第１及び第２レース間に介設された転動体と、前記第２レースに支持されて前記第２レースの回転軸心に対して交差する回転軸心周りに回転自在なローラーとを備えたことをキャスター構造の最も主要な特徴とする。
【発明の効果】
【０００９】
本発明によれば、第１及び第２レース間に転動体を介設したベアリング機構部分に対して第２レースにローラーを支持することで、キャスターの高さ増を抑制してテーブルのベース部をより低く構成することが可能となる。
【図面の簡単な説明】
【００１０】
【図１】キャスター構造を有するテーブルを示す斜視図である（実施例１）。
【図２】図１のテーブルの側面図である（実施例１）。
【図３】図１のテーブルのベース部を底面側から見た斜視図である（実施例１）。
【図４】図３のベース部の底面図である（実施例１）。
【図５】図３のベース部の側面図である（実施例１）。
【図６】図３のベース部の正面図である（実施例１）。
【図７】図３のベース部の要部拡大斜視図である（実施例１）。
【図８】図４のＶＩＩＩ−ＶＩＩＩ線矢視に係る断面図である（実施例１）。
【図９】図４の要部拡大図である。
【発明を実施するための最良の形態】
【００１１】
テーブルのベース部をより低く構成するという目的を、第１レース及び第２レース間に転動体を介設したベアリング機構部分に対して第２レースにローラーを支持するキャスター構造により実現した。
【００１２】
具体的には、ベース部側に設けられた第１レースと、第１レースに対して相対回転自在な第２レースと、第１及び第２レース間に介設された転動体と、第２レースに支持されて第２レースの回転軸心に対して交差する回転軸心周りに回転自在なローラーとを備える。
【００１３】
好ましくは、第１レースから突設され第２レースを挿通して軸心周りに回転自在に支持する第１回転軸と、第２レースに支持されて第１回転軸に対する交差方向に沿った第２回転軸とを備え、ローラーが第２回転軸に軸心周り回転自在に支持され相互間に第１回転軸を避ける隙間を空けて配置された一対のローラー体からなる。
【００１４】
この場合は、例えば第１回転軸が先端に係止突起を備え、第２レースが第１回転軸を挿通させて縁部が前記係止突起に係合する係止孔を備え、一対のローラー体が、相互間の隙間によって第１回転軸の係止突起を避ける構成とすることができる。
【００１５】
一対のローラー体は、第２回転軸に相対回転自在に支持できる他、一体的に回転するように支持することも可能である。
【００１６】
また、第１レースは、ベース部の底面側に開口する凹状に形成され、第２レースは、第１レース内に収容されるのが好ましい。
【００１７】
さらに好ましくは、第１レースがベース部とは別体に形成され、ベース部が第１レースを収容固定する収容凹部を備える。
【００１８】
かかるキャスター構造を適用したテーブルは、長手方向の両側にキャスターが取り付けられたベース部と、ベース部の長手方向一側から立設された支柱と、支柱に長手方向一側が支持されて前記ベース部に対向配置されたテーブル本体部とを備え、少なくともベース部の長手方向他側に取り付けられたキャスターにキャスター構造を適用する。
【００１９】
以下、本発明の実施例について図面を参照して説明する。
【実施例１】
【００２０】
［テーブルの概略構成］
図１は、キャスター構造を有するテーブルを示す斜視図、図２は、図１のテーブルの側面図である。
【００２１】
本実施例のテーブル１は、図１及び図２のように、ベース部３と、支柱５と、テーブル本体部７とを備えて全体として略コ字状の側面形状となっている。このテーブル１は、テーブル本体部７がベース部３に対向配置されており、ベース部３をスライドさせてベッド下のスペースＳに入れ込むと、テーブル本体部７がベッドＢ上に位置するようになっている。
【００２２】
これにより、テーブル１は、ベッド脇への突出を抑制しながら容易に設置することを可能とする。
【００２３】
ベース部３は、平面Ｉ字状に形成されており、長手方向の両側に後述するキャスター９，１１が取り付けられてスライドによる移動が可能となっている。このベース部３の長手方向一側には、支柱５が立設されている。
【００２４】
支柱５は、断面矩形の外筒１３及び内筒１５からなり、内筒１５が外筒１３に対して摺動して伸縮可能となっている。伸縮動作は、支柱５内に設けられたガススプリング（図示せず）によって行うことができる。このため、支柱５には、ガススプリングを動作させるためのレバー１７が設けられている。支柱５の内筒１５上端には、テーブル本体部７が取り付けられている。
【００２５】
なお、支柱５は、その底面部に溶接ナット等の一体的なナットを有しており、ナット（図示せず）に螺合するねじ３０（図４参照）によってベース部３に締結固定されている。
【００２６】
テーブル本体部７は、矩形板状に形成されており、長手方向の一側がブラケット１９を介して支柱５の内筒１５の上端部に支持されている。これにより、テーブル本体部７は、全体としてベース部３に対向配置されることになる。
【００２７】
なお、テーブル本体部７は、鬼目ナット等の埋設ナットを有しており、埋設ナット（図示せず）に螺合するねじ２０によって支柱５のブラケット１９に締結固定されている。
［ベース部の詳細］
図３は、図１のテーブルのベース部を底面側から見た斜視図、図４は、図３のベース部の底面図、図５は、図３のベース部の側面図、図６は、図３のベース部の正面図である。
【００２８】
ベース部３は、図３〜図６のように、基部２１と、中間部２３と、先端部２５とを備えている。
【００２９】
基部２１は、ベース部３の長手方向一側に位置し、幅方向に沿って形成されている。基部２１は、全体として底面側で開口する中空の箱状に形成され、内部がリブ２７によって補強されている。
【００３０】
基部２１の底面側には、箱状の内部を利用して六角レンチ等の工具２８が収納されている。工具２８は、テーブル１の組み立てや分解に用いられるものであり、基部２１の底面側に収納されることで紛失が防止される。
【００３１】
特に、介護やリハビリテーション等の分野においては、テーブル１をレンタルされることもあるが、レンタルの終了によって回収する際に、工具２８を用いてテーブル１を容易に分解することが可能となる。
【００３２】
本実施例の工具２８は、例えば支柱５のブラケット１９とテーブル本体部７との間、支柱５とベース部３との間の締結固定又は締結解除に用いることができる。
【００３３】
基部２１の上面は、幅方向の両側から中間部にわたって漸次高さが低くなるように傾斜している。基部２１の中間部では、上面が平坦となっており、支柱５の外筒１３が固定されるようになっている（図１参照）。支柱５の固定時には、基部２１の上面に位置する支柱５の底面側のナットに対し、基部２１の底面側からねじ３０を螺合する。この螺合は、工具２８を用いて円滑に行うことができる。
【００３４】
基部２１の長手方向の両側面２９，３１は、楕円状の曲面からなり、基部２１は、幅方向の中間部が両側に対して漸次長手方向に膨出した平面形状となっている。基部２１の幅方向の両側では、両側面２９，３１に切欠３３が設けられている。この切欠３３内において、基部２１の底面側に長手方向一側のキャスター９がそれぞれ取り付けられている。
【００３５】
キャスター９は、本実施例のキャスター構造を採用しておらず、一般的なキャスターが用いられる。本実施例において、キャスター９は、図４及び図６のように、基部２１の底面側の取付部３７に対して回転軸３９を介して取り付けられている。回転軸３９には、ブラケット４１が軸周り回転自在（水平旋回自在）支持されている。ブラケット４１には、ローラー４３がブラケット４１の回転軸心に直交（交差）する軸周りに回転自在に支持されている。ローラー４３は、ブラケット４１の両側に位置する一対のローラー体４５からなっている。
【００３６】
中間部２３は、図３〜図５のように、ベース部３の長手方向に沿って延設された平面矩形の中空筒状である。中間部２３は、全体的に平坦に形成され、その高さが基部２１よりも低く設定されている。中間部２３の一端は、基部２１の一方の側面２９を挿通して基部２１に底面側で締結固定されている。この締結は、基部２１と支柱５とを締結するねじ３０を利用して行われている。中間部２３の他端は、先端部２５に対して底面側でねじ４６によって締結固定されている。
【００３７】
先端部２５は、図３及び図４のようにベース部３の長手方向他側に位置し、幅方向に沿って形成されている。先端部２５は、全体として底面側で開口する平面矩形の中空の箱状に形成され、基部２１と同様に内部がリブ４９で補強されている。
【００３８】
また、先端部２５は、中間部２３と同様、図５のように、全体的に平坦に形成され、その高さが基部２１よりも低く設定されている。これにより、先端部２５の上面は、中間部２３の上面と面一となっている。
【００３９】
先端部２５の底面側には、幅方向の両側に長手方向他側のキャスター１１がそれぞれ取り付けられている。
【００４０】
図７は、図３のベース部の要部拡大斜視図、図８は、図４のＶＩＩＩ−ＶＩＩＩ線矢視に係る断面図、図９は、図４の要部拡大図である。
【００４１】
キャスター１１は、図７〜図９のように、第１レース５１と、第２レース５３と、転動体５５と、ローラー５７とを備えている。
【００４２】
本実施例のキャスター１１は、図８のように、ベース部３の先端部２５に設けられた収容凹部５９に収容固定されている。収容凹部５９は、先端部２５の高さ方向（上下方向）の範囲内に設けられ、先端部２５の上壁６１とこれと一体の周回状の周壁６３とで形成されている。
【００４３】
周壁６３の一部は、ベース部３の先端部２５の長手方向両側の側壁６５，６７によって構成されている（図７及び図９参照）。この収容凹部５９は、ベース部３の先端部３５の底面側に開口しており、前記周壁６３の一部において開口縁部に凹状の段部６９が設けられている。
【００４４】
第１レース５１は、ベース部３の先端部２５の底面側に開口する凹状に形成されて、全体として収容凹部５９内に嵌合している。なお、第１レース５１は、ベース部３の先端部２５とは別体に形成されているが、先端部２５と一体に構成することも可能である。この場合は、ベース部３の収容凹部５９自体を第１レースとして構成しても良い。
【００４５】
第１レース５１は、凹状の底となる上壁７１と周回状の周壁７３とが一体に設けられている。第１レース５１の開口縁部には、周壁７３と一体のフランジ部７５が設けられており、フランジ部７５の一部が収容凹部５９の段部６９内に嵌合している。また、フランジ部７５は、図７及び図９のようにベース部３の先端部２５の幅方向に膨出した膨出部７７を備え、膨出部７７がねじ７９によってベース部３の先端部２５に締結固定されている。
【００４６】
第１レース５１の上壁７１には、図８のように、中心部から開口側に向けて第１回転軸８１が突設されている。第１回転軸８１の周囲では、上壁７１に周回状の溝８３が設けられている。
【００４７】
第１回転軸８１は、複数の係止片８５からなっている。各係止片８５は、可撓性を有する板状に形成され、先端部に係止突起８７が形成されている。この第１回転軸８１を介し、第１レース５１には第２レース５３が支持されている。
【００４８】
第２レース５３は、第１レース５１に沿った凹状に形成され、第１レース５１と同様、凹状の底となる上壁８９と周回状の周壁９１とが一体に設けられている。第２レース５３は、第１レース５１内に収容されて、ベース部３の先端部２５の底面側に開口する。
【００４９】
第２レース５３の上壁８９には、第１回転軸８１に対応して係止孔９３が貫通形成されている。係止孔９３には、第１回転軸８１が挿通して縁部に第１回転軸８１の係止突起８７が係合している。係止突起８７は、第２レース５３内へ突出しているので、第２レース５３の抜け止めを行うことができる。これにより、第２レース５３は、第１回転軸８１の軸心周りに回転自在（水平旋回自在）に支持され、第１レース５１に対して相対回転自在となっている。
【００５０】
第２レース５３の上壁８９は、第１レース５１の上壁８９に対向配置されている。これらの第１レース５１及び第２レース５３の上壁７１，８９間には、複数の転動体５５が介設されている。
【００５１】
複数の各転動体５５は、ベアリング用のボールからなり、第１レース５１の溝８３内に収容されている。転動体５５の周方向一部は、溝８３外に突出して第２レース５３の上壁８９に当接している。従って、転動体５５は、第１レース５１及び第２レース５３間で転動し、両者間の相対回転を円滑に行わせることができる。なお、転動体５５は、ベアリング用のローラー等の他の転動体を採用することも可能である。
【００５２】
ローラー５７は、図９のように、第２回転軸９５を介して第２レース５３の周壁８９に支持されている。具体的には、第２レース５３の周壁８９は、その内周面に軸受支持部９７が設けられている。軸受支持部９７は、ベース部３の先端部２５の底面側に開口する支持溝９９を備えている。この軸受支持部９７の支持溝９９には、第２回転軸９５の端部が圧入によって嵌合固定されている。
【００５３】
第２回転軸９５は、図８のように、円柱状に形成され、第１回転軸８１の軸心に対する直交方向（交差方向）に沿って配置されている。第２回転軸９５は、その軸心が第１回転軸８１の軸心と交差しないように変位している。この第２回転軸９５には、ローラー５７が支持されている。
【００５４】
ローラー５７は、図７〜図９のように、一対のローラー体１０１からなっている。ローラー体１０１は、第２回転軸９５の軸周りに挿通支持されている。このため、ローラー体１０１は、第２レース５３の回転軸心に対して交差する回転軸心周りに回転自在な構成であると共に相対回転自在となっている。
【００５５】
ローラー体１０１は、相互間に第１回転軸８１を避ける隙間を空けて配置されている。本実施例では、ローラー体１０１が相互間の隙間によって第１回転軸８１の係止突起８７を避け、その係止突起８７に干渉しないようになっている。ローラー体１０１の相互間の隙間は、第２回転軸９５にスペーサを挿通したり或いは第２回転軸９５を部分的に大径にすることで、ローラー体１０１の軸方向移動を防止することで確保される。
【００５６】
ローラー体１０１は、その一部が第２レース５３の上壁８９に近接して配置されている。このため、第２レース５３の上壁８９には、ローラー体１０１との干渉を避ける逃げ凹部１０３が形成されている。
［実施例１の効果］
本実施例は、キャスター９，１１が取り付けられて移動可能なベース部３に支柱５を介してテーブル本体部７が支持されたテーブル１に対し、ベース部３の先端部２５のキャスター１１に適用されたキャスター構造であって、ベース部３側に設けられた第１レース５１と、第１レース５１に対して相対回転自在な第２レース５３と、第１及び第２レース５１，５３間に介設された転動体５５と、第２レース５３に支持されて第２レース５３の回転軸心に対して交差する回転軸心周りに回転自在なローラー５７とを備えている。
【００５７】
従って、本実施例では、第１及び第２レース５１，５３間に転動体５５を介設したベアリング機構部分に対して第２レース５３にローラー５７を支持し、キャスター１１の高さ増を抑制してベース部３の先端部２５をより低く構成することが可能となる。
【００５８】
本実施例では、ベース部３の先端部２５及び中間部２３が同一の高さとなっているので、先端部２５から中間部２３にわたって、より低く構成することができる。
【００５９】
かかる構成の本実施例のテーブル１は、図２のようにベッド下のスペースＳ内にベース部３を長手方向他側の先端部２５から入れ込む際に、低床ベッドのようにベッド下のスペースＳに十分な高さがない場合でも、ベース部３を先端部２５から中間部２３まで確実に入れ込むことができる。
【００６０】
また、本実施例は、第１レース５１から突設され第２レース５３を挿通して軸心周りに回転自在に支持する第１回転軸８１と、第２レース５３に支持されて第１回転軸８１に対する交差方向に沿った第２回転軸９５とを備え、ローラー５７が第２回転軸９５に軸心周り回転自在に支持され相互間に第１回転軸８１を避ける隙間を空けて配置された一対のローラー体１０１からなる。
【００６１】
従って、本実施例では、ローラー５７と第１回転軸８１の先端とをオーバーラップさせることができ、ベース部３の先端部２５をより確実に低く構成することができる。
【００６２】
また、本実施例では、第１回転軸８１が先端に係止突起８７を備え、第２レース５３が第１回転軸を挿通させて縁部が係止突起８７に係合する係止孔９３を備え、一対のローラー体１０１が相互間の隙間によって第１回転軸８１の係止突起８７を避ける。
【００６３】
従って、第２レース５３の支持するための構成を簡素化してベース部３の先端部２５をより確実に低く構成することができながら、上記のようにローラー５７と第１回転軸８１の先端とをオーバーラップさせることが可能となる。
【００６４】
本実施例の一対のローラー体１０１は、第２回転軸９５に相対回転自在に支持されているので、その相対回転によってベース部３の旋回性能を向上することもできる。
【００６５】
また、本実施例では、第１レース５１がベース部３の底面側に開口する凹状に形成され、第２レース５３が第１レース５１内に収容される。
【００６６】
従って、第１レース５１をベース部３の先端部２５の高さを利用して設置することにより、キャスター１１の高さ方向への突出を抑えてベース部３の先端部２５をより確実に低く構成することが可能となる。
【００６７】
本実施例では、第１レース５１がベース部３とは別体に形成され、ベース部３が第１レース５１を収容固定する収容凹部５９を備えている。
【００６８】
従って、本実施例では、キャスター１１をベース部３とは別体に取り扱うことができ、部品管理や組付け性を向上することができる。
【００６９】
本実施例のキャスター構造を適用したテーブル１は、長手方向の両側にキャスター９，１１が取り付けられたベース部３と、ベース部３の長手方向一側から立設された支柱５と、支柱５に長手方向一側が支持されてベース部３に対向配置されたテーブル本体部７とを備え、少なくともベース部３の長手方向他側に取り付けられたキャスター１１にキャスター構造を適用している。
【００７０】
従って、本実施例では、低床ベッドのようにベッド下のスペースＳに十分な高さがない場合でも（図２参照）、ベース部３をスペースＳに確実に入れ込むことが可能なテーブル１を実現できる。
【符号の説明】
【００７１】
１  テーブル
３  ベース部
５  支柱
７  テーブル本体部
９，１１  キャスター
５１  第１レース
５３  第２レース
５５  転動体
５７  ローラー
５９  収容凹部
８１  第１回転軸
８７  係止突起
９３  係止孔
９５  第２回転軸
１０１  ローラー体
【図１】
2015009640.tif 000003
【図２】
2015009640.tif 000004
【図３】
2015009640.tif 000005
【図４】
2015009640.tif 000006
【図５】
2015009640.tif 000007
【図６】
2015009640.tif 000008
【図７】
2015009640.tif 000009
【図８】
2015009640.tif 000010
【図９】
2015009640.tif 000011